(57)【特許請求の範囲】
【請求項１】
設備機器を監視制御する既設の監視制御部と、前記設備機器から取得される状態データ及び前記設備機器への制御データを蓄積する既設のサーバ部とを先に備え、前記設備機器を監視制御する新設の監視制御部と、前記状態データを蓄積する新設のサーバ部とを後に備えた監視制御システムであって、
前記新設のサーバ部は、前記既設のサーバ部を介して前記状態データを取得して蓄積し、
前記新設の監視制御部は、前記新設のサーバ部を介して前記状態データを取得し、前記設備機器に対する制御データを前記既設のサーバ部及び前記新設のサーバ部を介して送信する、
監視制御システム。
【請求項２】
前記新設のサーバ部は、前記既設のサーバ部が撤去されると、前記設備機器から送信される前記状態データを受信して蓄積する、
請求項１に記載の監視制御システム。
【請求項３】
前記新設のサーバ部は、前記既設のサーバ部に蓄積されている前記状態データであって自身が蓄積していない前記状態データを、前記既設のサーバ部から読み出して蓄積する、
請求項１又は請求項２のいずれかに記載の監視制御システム。
【請求項４】
前記新設の監視制御部と前記新設のサーバ部とは、１つの装置内に設けられている、
請求項１から請求項３のいずれか一項に記載の監視制御システム。
【請求項５】
前記設備機器は、コントローラを介して前記既設の監視制御部と前記既設のサーバ部と前記新設の監視制御部と前記新設のサーバ部と接続されており、
前記コントローラは、前記状態データを、前記既設の監視制御部と前記既設のサーバ部と前記新設の監視制御部と前記新設のサーバ部とに対してマルチキャスト又はブロードキャストで送信する、
請求項１から請求項４のいずれか一項に記載の監視制御システム。
【請求項６】
設備機器を監視制御する既設の監視制御部と、前記設備機器から取得される状態データ及び前記設備機器への制御データを蓄積する既設のサーバ部とを先に備え、前記設備機器を監視制御する新設の監視制御部と、前記状態データを蓄積する新設のサーバ部とを後に備えた監視制御システムにおける監視制御方法であって、
前記新設のサーバ部が、前記既設のサーバ部を介して前記状態データを取得して蓄積する蓄積ステップと、
前記新設の監視制御部が、前記新設のサーバ部を介して前記状態データを取得する取得ステップと、
前記新設の監視制御部が、前記設備機器に対する制御データを前記既設のサーバ部及び前記新設のサーバ部を介して送信する送信ステップと、
を有する監視制御方法。
【請求項７】
設備機器を監視制御する既設の監視制御装置と、前記設備機器から取得される状態データ及び前記設備機器への制御データを蓄積する既設のサーバ装置とを先に備え、新設の監視制御装置を後に備えた監視制御システムにおける新設の監視制御装置であって、
前記既設のサーバ装置を介して取得した前記状態データを蓄積するサーバ部と、
前記サーバ部に蓄積した前記状態データに基づいて前記設備機器に対する制御データを生成し、生成した前記制御データを前記既設のサーバ装置及び前記サーバ部を介して前記設備機器へ送信し、生成した前記制御データを前記既設のサーバ装置及び前記サーバ部に記憶させる監視制御部と、
を備える、
監視制御装置。
【請求項８】
設備機器を監視制御する既設の監視制御装置と、前記設備機器から取得される状態データ及び前記設備機器への制御データを蓄積する既設のサーバ装置とを先に備え、新設の監視制御装置を後に備えた監視制御システムにおける新設の監視制御装置が行う監視制御方法であって、
前記既設のサーバ装置を介して前記状態データを取得してサーバ部に蓄積する蓄積ステップと、
前記サーバ部に蓄積した前記状態データに基づいて前記設備機器に対する制御データを生成する生成ステップと、
生成した前記制御データを前記既設のサーバ装置及び前記サーバ部を介して前記設備機器へ送信し、生成した前記制御データを前記既設のサーバ装置及び前記サーバ部に記憶させる送信ステップと、
を有する監視制御方法。
【請求項９】
更新により撤去された旧監視制御部及び旧サーバ部に代えて、設備機器を監視制御する新監視制御部と、前記設備機器から取得される状態データを蓄積する新サーバ部とを備える監視制御システムであって、
旧監視制御部及び旧サーバ部が撤去される前に、
前記新サーバ部は、前記旧サーバ部を介して取得した前記状態データを蓄積し、
前記新監視制御部は、生成した制御データを、前記旧サーバ部及び前記新サーバ部を介して前記設備機器へ送信していた、
監視制御システム。
【請求項１０】
更新により撤去された旧監視制御装置及び旧サーバ装置に代えて監視制御システムに設けられた監視制御装置であって、
前記監視制御システムに設けられる設備機器から取得される状態データを蓄積するサーバ部と、
前記サーバ部に蓄積された前記状態データに基づいて前記設備機器に対する制御データを生成し、生成した制御データを前記サーバ部を介して前記設備機器へ送信する監視制御部と、
を備え、
撤去された前記旧サーバ装置が設けられていたときに、
前記サーバ部は、前記旧サーバ装置を介して取得した前記状態データを蓄積し、
前記監視制御部は、生成した前記制御データを、前記旧サーバ装置及び前記サーバ部を介して前記設備機器へ送信していた、
監視制御装置。
【発明の詳細な説明】
【技術分野】
【０００１】
本発明の実施形態は、監視制御システム、監視制御方法及び監視制御装置に関する。
【背景技術】
【０００２】
水処理設備や製造設備などのプラントにおけるリニューアルとして、監視制御装置のみを更新し、ポンプやセンサなどの現場に設けられた設備機器や現場操作盤、外線ケーブルなどを更新しない場合がある。この場合、監視制御装置を更新する際に、既設の監視制御装置と新設の監視制御装置とが一時的、あるいは一定期間に亘り混在して接続されることがある。この場合、２つの監視制御装置が同時に設備機器を制御すると誤作動等の原因になる可能性があるため、２つの監視制御装置が混在して接続される期間は、現場操作盤を用いたり、設備機器を直接操作したりして現場による操作が強いられていた。現場の操作によるプラントの運用は、プラントを監視、運用する操作員に負担を強いるとともに、プラントの運用に影響が生じる場合があった。
【先行技術文献】
【特許文献】
【０００３】
【特許文献１】特許第４５７８９１９号公報
【特許文献２】特許第４８５２０７０号公報
【特許文献３】特開２００９−０６４０９４号公報
【特許文献４】特開２００３−３１６４２７号公報
【発明の概要】
【発明が解決しようとする課題】
【０００４】
本発明が解決しようとする課題は、監視制御装置の更新においてプラントの運用に与える影響を軽減することができる監視制御システム、監視制御方法及び監視制御装置を提供することである。
【課題を解決するための手段】
【０００５】
実施形態の監視制御システムは、既設の監視制御部と、既設のサーバ部と、新設の監視制御部と、新設のサーバ部とを持つ。既設の監視制御部及び既設のサーバ部は、新設の監視制御部及び新設のサーバ部より先に備えられる。既設の監視制御部は、設備機器を監視制御する。既設のサーバ部は、設備機器から取得される状態データ及び設備機器への制御データを蓄積する。新設の監視制御部は、設備機器を監視制御し、新設のサーバ部を介して状態データを取得し、設備機器に対する制御データを既設のサーバ部及び新設のサーバ部を介して送信する。新設のサーバ部は、既設のサーバ部を介して状態データを取得して蓄積する。
【図面の簡単な説明】
【０００６】
【図１】本実施形態における監視制御システムの構成例を示すブロック図。
【図２】監視制御システムにおいて状態データを蓄積する際の動作を示すシーケンス図。
【図３】監視制御システムにおいて設備機器へ制御データを送信する際の動作を示すシーケンス図。
【図４】監視制御システムにおいてサーバ装置及び監視制御装置を入れ替えるリニューアルの手順を示すフローチャート。
【図５】監視制御システムの変形例における構成を示すブロック図。
【発明を実施するための形態】
【０００７】
以下、実施形態の監視制御システム、監視制御方法及び監視制御装置を、図面を参照して説明する。以下の実施形態では、同一の参照符号を付した部分は同様の動作を行うものとして、重複する説明を適宜省略する。また、以下の実施形態では、水処理設備のプラントにおいて使用される監視制御システムについて説明する。
【０００８】
図１は、本実施形態における監視制御システムの構成例を示すブロック図である。本実施形態における監視制御システムは、複数の設備機器１１と、コントローラ１２と、サーバ装置１３と、記憶装置１４、監視制御装置１５、１６と、サーバ装置２１と、記憶装置２２と、監視制御装置２３、２４とを備える。図１に示す監視制御システムは、リニューアルにより、既設のサーバ装置１３と記憶装置１４と監視制御装置１５、１６とを、新設のサーバ装置２１と記憶装置２２と監視制御装置２３、２４とに更新する作業が行われている際の構成である。リニューアルでは、監視制御システムに先に備えられていた既設のサーバ装置１３と記憶装置１４と監視制御装置１５、１６とを、監視制御システムに後に備えられた新設のサーバ装置２１と記憶装置２２と監視制御装置２３、２４とに置き換える作業が行われる。
【０００９】
複数の設備機器１１は、例えばポンプや、圧縮機、開閉ゲート、水位センサ、温度センサ、流量センサなどのプラントに備えられている機器である。設備機器１１は、例えば予め定められた周期で又は要求に応じて、状態データをコントローラ１２へ送信する。ここで、状態データは、状態データを生成した設備機器１１を一意に識別する識別情報、設備機器１１の動作状態や故障の有無を示す情報、当該情報を生成した時刻を示す時刻情報を含む。また、設備機器１１がセンサなどの計測機器である場合、設備機器１１から送信される状態データは、計測により得られた数値を示す情報を含む。
【００１０】
コントローラ１２は、複数の設備機器１１と通信可能に接続されており、設備機器１１から状態データを受信する。また、コントローラ１２は、複数の設備機器１１との通信に用いるネットワークと異なるネットワーク２を介してサーバ装置１３、２１と監視制御装置１５、１６、２３、２４と通信可能に接続されている。コントローラ１２は、設備機器１１から取得する状態データを、サーバ装置１３、２１と監視制御装置１５、１６、２３、２４へ送信する。すなわち、コントローラ１２は、ネットワーク２に接続されている装置に対して、マルチキャスト又はブロードキャストで状態データを送信する。
【００１１】
また、コントローラ１２は、監視制御装置１５、１６、２３、２４において生成される制御データを受信し、制御データの宛先として指定される設備機器１１へ当該制御データを送信する。ここで、制御データは、当該データにて制御する制御対象の設備機器１１を示す識別情報、設備機器１１の動作の変更を指示する操作情報、動作を切り替えるタイミングや閾値などを示す設定値情報などを含む。
【００１２】
サーバ装置１３は、コントローラ１２から送信される状態データを受信し、受信した状態データを時系列で記憶装置１４に記憶させて蓄積する。記憶装置１４は、磁気ディスクや光ディスク、フラッシュメモリなどの非一時的な記憶媒体を有する装置であり、サーバ装置１３に内蔵されたものであってもよいし、サーバ装置１３に接続された外部の装置であってもよい。サーバ装置１３は、監視制御装置１５、１６とサーバ装置２１とから制御データ及びメッセージを受信し、受信した制御データ及びメッセージを記憶装置１４に記憶させる。サーバ装置１３は、受信した制御データをコントローラ１２へ送信する。コントローラ１２に受信された制御データは、宛先の設備機器１１へ中継される。
【００１３】
監視制御装置１５は、プラントを監視、運用する操作員による操作を受け付け、プラントの現在の状態及び状態の時系列を画面に表示する。このとき、監視制御装置１５は、サーバ装置１３から送信された状態データに基づいて、操作員に指定された種類の情報又は予め定められた種類の情報を表示する画面を生成する。また、監視制御装置１５は、操作員による操作を受け付け、受け付けた操作に基づいて制御データを生成する。監視制御装置１５は、生成した制御データをサーバ装置１３へ送信する。
【００１４】
また、監視制御装置１５は、予め定められた設定値と状態データに含まれる測定値とを比較し、比較結果に基づいた通知や警報のメッセージを画面に表示する。監視制御装置１５は、メッセージをサーバ装置１３へ送信して蓄積させる。監視制御装置１５は、操作員による操作を受け付け、状態データ、制御データ及びメッセージに基づいた履歴データの生成をサーバ装置１３へ要求する。監視制御装置１５は、サーバ装置１３で生成された履歴データを画面に表示する。履歴データは、サーバ装置１３により記憶装置１４に蓄積される。ここで、履歴データは、帳票データや、メッセージと計測値との時系列を組み合わせたデータ、警報の時系列データなどを含む。
【００１５】
監視制御装置１６は、監視制御装置１５と同様に動作する。なお、図１において、既設の監視制御装置として２つの監視制御装置１５、１６が示されているが、既設の監視制御装置は、１つであってもよいし、３つ以上であってもよい。監視制御装置１５、１６は、サーバ装置１３及びコントローラ１２を介して、設備機器１１からの状態データを受信するとともに設備機器１１への制御データを送信する。
【００１６】
サーバ装置２１は、サーバ装置１３から状態データを受信し、受信した状態データを時系列で記憶装置２２に記憶させて蓄積する。また、サーバ装置２１は、サーバ装置１３に対して、記憶装置１４に蓄積されている状態データ、制御データ及びメッセージを要求して取得する。サーバ装置２１は、取得した状態データ、制御データ及びメッセージを時系列で記憶装置２２に記憶させて蓄積する。記憶装置２２は、記憶装置１４と同様に、磁気ディスクや光ディスク、フラッシュメモリなどの非一時的な記憶媒体を有する装置である。記憶装置２２は、サーバ装置２１に内蔵されたものであってもよいし、サーバ装置２１に接続された外部の装置であってもよい。
【００１７】
また、サーバ装置２１は、監視制御装置２３、２４から制御データ及びメッセージを受信し、受信した制御データ及びメッセージを記憶装置２２に記憶させる。サーバ装置２１は、受信した制御データ及びメッセージをサーバ装置１３へ送信する。サーバ装置１３へ送信された制御データは、サーバ装置１３を経由してコントローラ１２へ送信され、コントローラ１２によって宛先の設備機器１１へ中継される。
【００１８】
監視制御装置２３は、監視制御装置１５と同様に、プラントを監視、運用する操作員による操作を受け付け、プラントの現在の状態及び状態の時系列を画面に表示する。このとき、監視制御装置２３は、サーバ装置１３から送信された状態データに基づいて、操作員に指定された種類の情報又は予め定められた種類の情報を表示する画面を生成する。また、監視制御装置２３は、操作員による操作を受け付け、受け付けた操作に基づいて制御データを生成する。監視制御装置２３は、生成した制御データをサーバ装置２１へ送信する。
【００１９】
また、監視制御装置２３は、監視制御装置１５と同様に、設定値と状態データに含まれる測定値とを比較し、比較結果に基づいた通知や警報のメッセージを画面に表示する。監視制御装置２３は、メッセージをサーバ装置２１へ送信して蓄積させる。監視制御装置２３は、操作員による操作を受け付け、状態データ、制御データ及びメッセージに基づいた履歴データの生成をサーバ装置２１へ要求する。このとき、サーバ装置２１は、受信した履歴データの生成要求をサーバ装置１３へ転送し、サーバ装置１３から受信した履歴データを監視制御装置２３へ転送する。監視制御装置２３は、サーバ装置１３で生成された履歴データを画面に表示する。
【００２０】
監視制御装置２４は、監視制御装置２３と同様に動作する。なお、図１において、新設の監視制御装置として２つの監視制御装置２３、２４が示されているが、新設の監視制御装置は、１つであってもよいし、３つ以上であってもよい。監視制御装置２３、２４は、サーバ装置１３、２１及びコントローラ１２を介して、設備機器１１からの状態データを受信するとともに設備機器１１への制御データを送信する。
【００２１】
図２は、監視制御システムにおいて状態データを蓄積する際の動作を示すシーケンス図である。設備機器１１は、状態データをコントローラ１２へ送信する（ステップＳ１１）。コントローラ１２は、設備機器１１から受信した状態データを、ネットワーク２に接続されたサーバ装置１３、２１と監視制御装置１５、１６、２３、２４とへ送信する（ステップＳ１２）。既設のサーバ装置１３は、コントローラ１２から受信した状態データを記憶装置１４へ記憶させて蓄積する（ステップＳ１３）。また、サーバ装置１３は、コントローラから受信した状態データを、ネットワーク２に接続されている他の装置へ送信する（ステップＳ１４）。サーバ装置２１は、サーバ装置１３から受信した状態データを、記憶装置２２へ記憶させて蓄積する（ステップＳ１５）。また、サーバ装置２１は、サーバ装置１３から受信した状態データを新設の監視制御装置２３、２４へ送信する（ステップＳ１６）。
【００２２】
このように、各設備機器１１から送信される状態データは、コントローラ１２を介してサーバ装置１３へ送信され、サーバ装置１３によって記憶装置１４に時系列に蓄積される。更に、サーバ装置１３が状態データをサーバ装置２１へ転送することにより、サーバ装置２１によって記憶装置２２にも時系列に蓄積される。この動作によって、サーバ装置１３が蓄積する状態データと、サーバ装置２１が蓄積する状態データとを一致させることができる。また、各監視制御装置１５、１６、２３、２４は、コントローラ１２から直接受信する状態データではなく、サーバ装置１３又はサーバ装置２１から送信される状態データを用いることで、監視制御システムにおける状態データの一貫性を保つことができる。
【００２３】
図３は、監視制御システムにおいて設備機器１１へ制御データを送信する際の動作を示すシーケンス図である。図３には、新設の監視制御装置２３、２４から制御データが送信される場合と、既設の監視制御装置１５、１６から制御データが送信される場合との２つ通りの場合の動作が記載されている。
【００２４】
新設の監視制御装置２３は、ユーザの操作を受け付けて制御データを生成し（ステップＳ２１）、生成した制御データを新設のサーバ装置２１へ送信する（ステップＳ２２）。サーバ装置２１は、監視制御装置２３から受信した制御データを記憶装置２２へ記憶させて蓄積し（ステップＳ２３）、当該制御データを既設のサーバ装置１３へ送信する（ステップＳ２４）。サーバ装置１３は、サーバ装置２１から受信した制御データを記憶装置１４へ記憶させて蓄積し（ステップＳ２５）、当該制御データをコントローラ１２へ送信する（ステップＳ２６）。コントローラ１２は、サーバ装置１３から受信した制御データを、当該制御データの宛先の設備機器１１へ送信する（ステップＳ２７）。設備機器１１は、受信した制御データに基づいて動作する。
【００２５】
既設の監視制御装置１５は、ユーザの操作を受け付けて制御データを生成し（ステップＳ３１）、生成した制御データを既設のサーバ装置１３へ送信する（ステップＳ３２）。サーバ装置１３は、監視制御装置１５から受信した制御データを記憶装置１４へ記憶させて蓄積し（ステップＳ３３）、当該制御データをコントローラ１２へ送信する（ステップＳ３４）。コントローラ１２は、サーバ装置１３から受信した制御データを、当該制御データの宛先の設備機器１１へ送信する（ステップＳ３５）。設備機器１１は、受信した制御データに基づいて動作する。
【００２６】
このように、新設の監視制御装置２３から送信される制御データは、新設のサーバ装置２１を介してサーバ装置１３へ送信される。新設の監視制御装置２４についても同様である。監視制御装置２３、２４から送信される制御データがサーバ装置２１を経由してサーバ装置１３へ送信されることにより、サーバ装置１３は、新設の監視制御装置が何台であっても既設の監視制御装置１５、１６と同等の装置が１つ増えた場合と同様に動作すればよい。すなわち、新設のサーバ装置２１及び監視制御装置２３、２４は、サーバ装置１３から見ると、監視制御装置１５、１６と同様の１つの装置として見える。また、サーバ装置２１及び監視制御装置２３、２４が、１つの装置として、監視制御装置１５、１６のように動作することで、監視制御システムのリニューアルにおいて、既設のサーバ装置１３及び監視制御装置１５、１６に対してほとんど変更を加えずとも、新設のサーバ装置２１及び監視制御装置２３、２４をネットワーク２に接続することができる。
【００２７】
図４は、監視制御システムにおいてサーバ装置及び監視制御装置を入れ替えるリニューアルの手順を示すフローチャートである。まず、新設のサーバ装置２１の通信先が既設のサーバ装置１３に設定され、新設の監視制御装置２３、２４の通信先がサーバ装置２１に設定される（ステップＳ４１）。すなわち、新設のサーバ装置２１及び監視制御装置２３、２４に対して、既設のサーバ装置１３を介した通信で動作することが設定される。これらの設定がなされた、サーバ装置２１及び監視制御装置２３、２４がネットワーク２に接続され（ステップＳ４２）、既設の各装置と新設の各装置とを混在してネットワーク２に接続した運用が開始される（ステップＳ４３）。図１に示す監視制御システムの構成は、ステップＳ４３からステップＳ４５までにおける構成に対応する。
【００２８】
サーバ装置２１は、状態データの蓄積を行うとともに、サーバ装置１３に対して蓄積されている状態データ、制御データ及びメッセージを要求し、サーバ装置１３から受信する状態データ、制御データ及びメッセージを記憶装置２２へ記憶させて蓄積する等値化処理を実行する（ステップＳ４４）。等値化処理の対象となる状態データ、制御データ及びメッセージは、記憶装置１４に記憶されている全ての状態データ、制御データ及びメッセージを対象としてもよいし、リニューアル後に必要とされる又は必要と予想される期間における状態データ、制御データ及びメッセージを対象としてもよい。
【００２９】
サーバ装置２１の通信先がサーバ装置１３からコントローラ１２へ変更される（ステップＳ４５）。サーバ装置２１の通信先とは、設備機器１１との通信を行う際に送受信を行う通信相手のことである。これにより、サーバ装置１３を介さずに、サーバ装置２１及び監視制御装置２３、２４が動作することになる。具体的には、サーバ装置２１は、コントローラ１２から受信する状態データを蓄積するとともに、受信する状態データを監視制御装置２３、２４へ送信する。また、サーバ装置２１は、監視制御装置２３、２４から受信する制御データをコントローラ１２へ送信する。監視制御装置２３、２４は、サーバ装置２１から受信する状態データに基づいて、操作員に指定された種類の情報又は予め定められた種類の情報を表示する画面を生成する。
【００３０】
なお、サーバ装置２１の通信先を変更する前に、監視制御システムを利用する操作員に対してサーバ装置１３及び監視制御装置１５、１６の操作を禁じておくことで、サーバ装置２１に蓄積されるデータに生じる欠損を減らすことができる。サーバ装置２１の通信先を変更した後に、サーバ装置１３及び監視制御装置１５、１６とネットワーク２との接続を解除して、サーバ装置１３及び監視制御装置１５、１６を撤去し（ステップＳ４６）、リニューアルが完了する。
【００３１】
本実施形態の監視制御システムは、既設のサーバ装置１３及び監視制御装置１５、１６から、新設のサーバ装置２１及び監視制御装置２３、２４へ切り替える場合に、プラント運用への影響を抑えることができる。具体的には、監視操作室などに備えられるサーバ装置及び監視制御装置のみが入れ替えられ、現場に設けられた設備機器１１などが継続して使用される場合に、コントローラ１２に対して変更を加えずとも、サーバ装置１３及び監視制御装置１５、１６とサーバ装置２１及び監視制御装置２３、２４とから送信される制御データを設備機器１１へ転送できる。これにより、サーバ装置１３及び監視制御装置１５、１６とサーバ装置２１及び監視制御装置２３、２４とが混在する状態において、監視制御装置１５、１６と監視制御装置２３、２４とのいずれにおいても操作員の操作を受け付けて、設備機器１１の監視及び制御を行うことができる。その結果、既設の装置と新設の装置とのいずれも利用できなくなる無監視状態を発生させず、また設備機器１１が設けられた現場での操作を操作員に強いることなく、各装置の切り替えを行うことができる。
【００３２】
また、ステップＳ４５におけるサーバ装置２１の通信先の変更は、例えば設定情報の変更やソフトウェアのダウンロードなどの簡便な作業であるため、現場における設備機器１１の操作が必要となる場合でも、現場操作の時間を短縮することができる。また、既設の各装置と新設の各装置とがともにネットワーク２から離線される状態が生じないため、データの欠測も最小限ですむため、帳票データへの影響を抑えることができる。
【００３３】
また、既設の監視制御装置１５、１６と、新設の監視制御装置２３、２４とを併用することができるので、操作員は、既設と新設との装置それぞれのユーザインターフェースを比較して、切り替えに伴う操作感などの変更を容易に把握することができ、新設の監視制御装置２３、２４の操作を短期間で習熟することが可能になる。
【００３４】
また、切り替えに伴い、既設と新設との２系統のサーバ装置及び監視制御装置が同時に動作するので、この期間においては、いずれの系統に障害が生じてもプラントの監視制御を継続して行うことができる。
【００３５】
なお、図４に示したリニューアルの手順でのステップＳ４４の等値化処理において、サーバ装置１３が蓄積した状態データ、制御データ及びメッセージのフォーマットと、サーバ装置２１が記憶装置２２に蓄積する際の状態データ、制御データ及びメッセージのフォーマットとが異なる場合、サーバ装置２１は、サーバ装置１３から取得した各データを自装置のフォーマットに変換した後に、記憶装置２２に蓄積するようにしてもよい。
【００３６】
また、サーバ装置１３が蓄積した履歴データのフォーマットと、サーバ装置２１が記憶装置２２に蓄積する履歴データのフォーマットとが同じ場合には、履歴データを等値化処理の対象に含めてもよい。また、サーバ装置１３が蓄積した履歴データのフォーマットと、サーバ装置２１が記憶装置２２に蓄積する履歴データのフォーマットとが異なる場合、履歴データを等値化処理の対象に含めなくてもよいし、サーバ装置１３の履歴データのフォーマットを変換した後に記憶装置２２へ蓄積するようにしてもよい。
【００３７】
また、本実施形態の監視制御システムにおいて、既設のサーバ装置１３及び監視制御装置１５、１６と新設のサーバ装置２１及び監視制御装置２３、２４とが混在して運用されている場合には、監視制御装置１５、１６、２３、２４及びサーバ装置２１は、サーバ装置１３を介して、設備機器１１との通信を行う構成を説明した。このような混在した運用が行われている際に、サーバ装置１３が故障したときには、監視制御装置１５、１６、２３、２４及びサーバ装置２１は、それぞれがコントローラ１２のみを介して、設備機器１１との通信を行うようにしてもよい。
【００３８】
また、監視制御装置１５と監視制御装置１６との間に序列が設けられている場合には、サーバ装置１３が故障したときに、監視制御装置１６は、監視制御装置１５及びコントローラ１２を介して、設備機器１１との通信を行うようにしてもよい。この場合、サーバ装置２１も、監視制御装置１６と同様に監視制御装置１５及びコントローラ１２を介して、設備機器１１との通信を行うようにしてもよい。あるいは、サーバ装置２１は、コントローラ１２のみを介して、設備機器１１との通信を行うようにしてもよい。
【００３９】
また、本実施形態の監視制御システムでは、新設のサーバ装置２１と監視制御装置２３とがそれぞれ独立した装置として設けられている構成を説明した。しかし、サーバ装置２１と監視制御装置２３とが１つの装置として構成されていてもよい。図５は、監視制御システムの変形例における構成を示すブロック図である。図５に示す監視制御システムは、サーバ装置２１と監視制御装置２３とに代えて監視制御装置３０を備えている点が、図１に示した監視制御システムと異なる。監視制御装置３０は、サーバ部３１と監視制御部３２とを備える。サーバ部３１は、サーバ装置２１に相当し、サーバ装置２１と同じ動作を行う。監視制御部３２は、監視制御装置２３に相当し、監視制御装置２３と同じ動作を行う。監視制御装置３０は１つの装置でサーバ装置２１及び監視制御装置２３として機能するので、既設の各装置と新設の装置との両方を一時的に設置する際に必要となるスペースを減らすことができる。
【００４０】
以上説明した少なくともひとつの実施形態によれば、既設のサーバ部を介して設備機器との通信を行う新設のサーバ部及び監視制御部を持つことにより、既設のサーバ部と新設のサーバ部とを併用して運用することができ、監視制御装置の更新においてプラントの運用に与える影響を軽減することができる。
【００４１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４２】
２…ネットワーク、１１…設備機器、１２…コントローラ、１３，２１…サーバ装置、１４，２２…記憶装置、１５，１６，２３，２４，３０…監視制御装置、３１…サーバ部、３２…監視制御部
【図１】
0006702540.tif 000002
【図２】
0006702540.tif 000003
【図３】
0006702540.tif 000004
【図４】
0006702540.tif 000005
【図５】
0006702540.tif 000006